(57)【要約】【課題】本発明は、中間周波信号の不要周波数成分を十分に除去でき、受信性能を向上することができるチューナ装置を提供することを目的とする。【解決手段】アンテナで受信した高周波信号をＵＨＦ帯域の帯域フィルタ２４とＶＨＦ帯域の帯域フィルタ２５のいずれか一方を通してＲＦ部２６に供給しＵＨＦ帯域の高周波信号とＶＨＦ帯域の高周波信号とで周波数の異なる中間周波信号に変換し、周波数の異なる中間周波信号それぞれを復調部３７で復調してトランスポートストリング信号を出力するチューナ装置において、ＲＦ部２６と復調部３７との間に設けられ、ＵＨＦ帯域の高周波信号の受信時とＶＨＦ帯域の高周波信号の受信時とでＵＨＦ帯域の帯域フィルタとＶＨＦ帯域の帯域フィルタの切り替えに連動して遮断周波数を切り替える低域フィルタ３６，Ｒ０，Ｃ０〜Ｃ２を有する。【選択図】  図１
2009065379.tif 000002
【特許請求の範囲】
【請求項１】
アンテナで受信した高周波信号をＵＨＦ帯域の帯域フィルタとＶＨＦ帯域の帯域フィルタのいずれか一方を通してＲＦ部に供給しＵＨＦ帯域の高周波信号とＶＨＦ帯域の高周波信号とで周波数の異なる中間周波信号に変換し、前記周波数の異なる中間周波信号それぞれを復調部で復調してトランスポートストリング信号を出力するチューナ装置において、
前記ＲＦ部と復調部との間に設けられ、前記ＵＨＦ帯域の高周波信号の受信時と前記ＶＨＦ帯域の高周波信号の受信時とで前記ＵＨＦ帯域の帯域フィルタとＶＨＦ帯域の帯域フィルタの切り替えに連動して遮断周波数を切り替える低域フィルタを
有することを特徴とするチューナ装置。
【請求項２】
請求項１記載のチューナ装置において、
前記低域フィルタは、前記ＵＨＦ帯域の高周波信号の受信時に前記ＵＨＦ帯域の高周波信号から変換した中間周波信号のみを通過させ、前記ＶＨＦ帯域の高周波信号の受信時に前記周波数の異なる中間周波信号を共に通過させることを特徴とするチューナ装置。
【請求項３】
請求項１又は２記載のチューナ装置において、
前記ＲＦ部は、前記周波数の異なる中間周波信号を共に通過させる帯域フィルタを内蔵することを特徴とするチューナ装置。
【発明の詳細な説明】
【技術分野】
【０００１】
本発明は、チューナ装置に関し、増幅器内蔵アンテナを接続されるチューナ装置に関する。
【背景技術】
【０００２】
従来から、ＵＨＦを用いた地上デジタルテレビジョン放送では携帯情報端末のような小さな画面に向けたワンセグ（１セグ）放送が開始され、これに先立って、地上デジタル音声放送も開始されている。地上デジタル音声放送はＶＨＦの７チャンネルを１４のセグメントに分け、その中の３セグメントを用いて放送されるため、３セグ放送と呼ばれる。
【０００３】
図４は従来の１セグ放送と３セグ放送を受信するチューナ装置の一例のブロック図を示す。同図中、チューナ装置１の端子２にアンテナが接続される。アンテナで受信した高周波信号はスイッチ３からＵＨＦ帯の帯域フィルタ４又はＶＨＦ帯の帯域フィルタ５を通してＲＦ部６に供給される。
【０００４】
ＲＦ部６は、帯域フィルタ４から供給される１セグの受信信号を例えば周波数略５００ｋＨｚのＩＦ（中間周波）信号に変換し内蔵のＩＦフィルタを通してＯＦＤＭ復調部７に供給すると共に、帯域フィルタ５から供給される３セグの受信信号を例えば周波数略１ＭＨｚのＩＦ信号に変換し内蔵のＩＦフィルタを通してＯＦＤＭ復調部７に供給する。
【０００５】
ＯＦＤＭ復調部７は、端子８からリセット信号を供給されると共に、端子９からＩ２Ｃバスを通して制御信号を供給される。ＯＦＤＭ復調部７は制御信号に応じてスイッチ３の切り替え制御を行うと共に、ＩＦ信号のＯＦＤＭ復調を行いトランスポートストリーム（ＴＳ）信号を得て端子１０より出力する。
【０００６】
なお、特許文献１には、通過帯域幅の異なる中間周波フィルタを複数設け、中間周波信号を復調した多重化信号よりデコードした番組情報の有無と中間周波信号より検出したノイズや妨害の有無に応じて中間周波フィルタを切り替える多重放送の受信機が記載されている。
【特許文献１】特開２０００−１６５２６９号公報
【発明の開示】
【発明が解決しようとする課題】
【０００７】
従来の図４に示すチューナ装置では、ＲＦ部６にＩＦフィルタを内蔵しているものの、周波数略５００ｋＨｚの１セグのＩＦ信号と周波数略１ＭＨｚの３セグのＩＦ信号を通過させるために通過帯域幅が広く、不要周波数成分の除去性能が十分ではないために受信性能が悪化するという問題があった。
【０００８】
本発明は、上記の点に鑑みなされたもので、中間周波信号の不要周波数成分を十分に除去でき、受信性能を向上することができるチューナ装置を提供することを目的とする。
【課題を解決するための手段】
【０００９】
本発明の一実施態様によるチューナ装置は、
アンテナで受信した高周波信号をＵＨＦ帯域の帯域フィルタ（２４）とＶＨＦ帯域の帯域フィルタ（２５）のいずれか一方を通してＲＦ部（２６）に供給しＵＨＦ帯域の高周波信号とＶＨＦ帯域の高周波信号とで周波数の異なる中間周波信号に変換し、前記周波数の異なる中間周波信号それぞれを復調部（３７）で復調してトランスポートストリング信号を出力するチューナ装置において、
前記ＲＦ部（２６）と復調部（３７）との間に設けられ、前記ＵＨＦ帯域の高周波信号の受信時と前記ＶＨＦ帯域の高周波信号の受信時とで前記ＵＨＦ帯域の帯域フィルタとＶＨＦ帯域の帯域フィルタの切り替えに連動して遮断周波数を切り替える低域フィルタ（３６，Ｒ０，Ｃ０〜Ｃ２）を有することにより、中間周波信号の不要周波数成分を十分に除去でき、受信性能を向上することができる。
【００１０】
前記チューナ装置において、
前記低域フィルタ（３６，Ｒ０，Ｃ０〜Ｃ２）は、前記ＵＨＦ帯域の高周波信号の受信時に前記ＵＨＦ帯域の高周波信号から変換した中間周波信号のみを通過させ、前記ＶＨＦ帯域の高周波信号の受信時に前記周波数の異なる中間周波信号を共に通過させる構成とすることができる。
【００１１】
前記チューナ装置において、
前記ＲＦ部（２６）は、前記周波数の異なる中間周波信号を共に通過させる帯域フィルタ（３３）を内蔵する構成とすることができる。
【００１２】
なお、上記括弧内の参照符号は、理解を容易にするために付したものであり、一例にすぎず、図示の態様に限定されるものではない。
【発明の効果】
【００１３】
本発明によれば、中間周波信号の不要周波数成分を十分に除去でき、受信性能を向上することができる。
【発明を実施するための最良の形態】
【００１４】
<一実施形態>
図１は、本発明のチューナ装置の一実施形態のブロック図を示す。このチューナ装置は、１セグ放送と３セグ放送を受信するチューナ装置である。同図中、チューナ装置２１の端子２２にアンテナが接続される。アンテナで受信した高周波信号はスイッチ２３からＵＨＦ帯の帯域フィルタ２４又はＶＨＦ帯の帯域フィルタ２５を通してＲＦ部２６に供給される。
【００１５】
ＲＦ部２６は、帯域フィルタ２４から供給される１セグの受信信号を例えば周波数略５００ｋＨｚのＩＦ信号に変換し内蔵のＩＦフィルタから出力すると共に、帯域フィルタ２５から供給される３セグの受信信号を例えば周波数略１ＭＨｚのＩＦ信号に変換し内蔵のＩＦフィルタを通して出力する。
【００１６】
図２は、ＲＦ部２６の一実施形態の概略構成図を示す。同図中、帯域フィルタ２４又は２５から供給される受信信号はアンプ２７で増幅されたのち乗算器２８，２９に供給される。また、ＶＣＯ（電圧制御型発振器）３０はＰＬＬ（Ｐｈａｓｅ  ｌｏｃｋｅｄ  ｌｏｏｐ）回路３１から制御電圧を供給されて所定周波数で発振する。その出力する局部発振信号は９０°移相器３２に供給され、ここで＋９０°移相されて乗算器２８に供給され、また、−９０°移相されて乗算器２９に供給される。
【００１７】
乗算器２８，２９それぞれは供給される受信信号と±９０°移相された局部発振信号とを乗算することで周波数変換を行い、互いに逆位相のＩＦ（中間周波）信号としてＩＦフィルタ３３に供給する。
【００１８】
ＩＦフィルタ３３は、図３に示すように周波数２００ｋＨｚ〜１ＭＨｚを通過帯域とする帯域フィルタであり、互いに逆位相のＩＦ信号の不要周波数成分を除去して加算器３４に供給する。加算器３４は互いに逆位相のＩＦ信号を差動増幅することで加算して端子３５より出力する。
【００１９】
図１に戻って説明するに、ＲＦ部２６の出力端子（端子３５）とＯＦＤＭ復調部３７の入力端子との間は直列接続された抵抗Ｒ０，コンデンサＣ０を介して接続されている。抵抗Ｒ０とコンデンサＣ０との接続点にはスイッチ３６の一端が接続され、スイッチ３６の他端はコンデンサＣ１，Ｃ２の一端に接続され、コンデンサＣ１，Ｃ２の他端は接地されている。スイッチ３６はコンデンサＣ１，Ｃ２のいずれか一方を選択して切り替える。
【００２０】
コンデンサＣ１，Ｃ２静電容量は異なっており、抵抗Ｒ０とコンデンサＣ０及びＣ１は遮断周波数が例えば５５０ｋＨｚの低域フィルタを構成し、抵抗Ｒ０とコンデンサＣ０及びＣ２は遮断周波数が例えば１．１ＭＨｚの低域フィルタを構成する。
【００２１】
ＯＦＤＭ復調部３７は、端子３８からリセット信号を供給されると共に、端子３９からＩ２Ｃ（Ｉｎｔｅｒ−Ｉｎｔｅｇｒａｔｅｄ  Ｃｉｒｃｕｉｔ：ＩスクウェアＣ）バスを通して制御信号を供給される。ＯＦＤＭ復調部３７は制御信号にて１セグモードを指示されるとスイッチ２３をＵＨＦ帯の帯域フィルタ２４に接続させ、かつ、スイッチ２３をコンデンサＣ１に接続させる切り替え制御を行う。また、３セグモードを指示されるとスイッチ２３をＶＨＦ帯の帯域フィルタ２５に接続させ、かつ、スイッチ２３をコンデンサＣ２に接続させる切り替え制御を行う。
【００２２】
また、ＯＦＤＭ復調部３７はコンデンサＣ０より供給されるＩＦ信号のＯＦＤＭ復調を行いトランスポートストリーム（ＴＳ）信号を得て端子４０より出力する。
【００２３】
このように、ＲＦ部２６とＯＦＤＭ復調部３７間に設けられた低域フィルタは、ＵＨＦ帯域の１セグ受信時に周波数略５００ｋＨｚのＩＦ信号のみを通過させ、ＶＨＦ帯域の３セグ受信時に周波数略５００ｋＨｚのＩＦ信号と周波数略１ＭＨｚのＩＦ信号を共に通過させるため、１セグ受信時と３セグ受信時それぞれで中間周波信号の不要周波数成分を十分に除去でき、受信性能を向上することができる。
構成とすることができる。
【図面の簡単な説明】
【００２４】
【図１】本発明のチューナ装置の一実施形態のブロック図である。
【図２】ＲＦ部２６の一実施形態の概略構成図である。
【図３】ＩＦフィルタの周波数特性図である。
【図４】従来の１セグ放送と３セグ放送を受信するチューナ装置の一例のブロック図である。
【符号の説明】
【００２５】
２１  チューナ装置
２３，３６  スイッチ
２４，２５  帯域フィルタ
２６  ＲＦ部
２７  アンプ
２８，２９  乗算器
３０  ＶＣＯ
３１  ＰＬＬ回路
３２  ９０°移相器
３３  ＩＦフィルタ
３４  加算器
３７  ＯＦＤＭ復調部
Ｃ０〜Ｃ２  コンデンサ
Ｒ０  抵抗
【図１】
2009065379.tif 000003
【図２】
2009065379.tif 000004
【図３】
2009065379.tif 000005
【図４】
2009065379.tif 000006